【手続補正書】
【提出日】平成26年4月4日(2014.4.4)
【手続補正１】
【補正対象書類名】明細書
【補正対象項目名】０１１８
【補正方法】変更
【補正の内容】
【０１１８】
本開示を、特定の例、説明および非限定的実施態様への参照により記載した。しかしながら、当業者により、種々の開示態様（またはその一部）の任意の置換、変形または組み合わせを、専ら特許請求の範囲によって定義される発明の範囲から逸脱することなくなし得ることは理解されるであろう。従って、本開示が本明細書に明確に記載されてない他の実施態様を含むことは考慮および理解される。このような実施態様は、例えば本明細書に記載の実施態様の開示工程、原料、構成成分、成分、要素、特徴、態様等を、当業者が有用性を見出す任意の方法により組み合わせ、変形または再編成することにより得られる。従って、この開示は、例示および説明的な実施態様の記載ではなく、専ら特許請求の範囲により限定される。
本発明の好ましい態様は、以下を包含する。
［１］  ａ）脂肪族イソシアネート官能性物質、および
ｂ）脂環式イソシアネート官能性物質
を含むイソシアネート官能性成分（Ａ）、および
少なくとも１つのポリアスパラギン酸エステル成分を含むイソシアネート反応性成分（Ｂ）
の反応生成物を含むポリウレア被覆組成物。
［２］  脂肪族イソシアネート官能性物質は、ヘキサメチレンジイソシアネートおよびヒドロキシ官能性エーテル化合物の反応生成物を含む、［１］に記載のポリウレア被覆組成物。
［３］  脂肪族イソシアネート官能性物質は、ヘキサメチレンジイソシアネートおよびヒドロキシ官能性エーテル化合物のアロファネート反応生成物を含む、［１］に記載のポリウレア被覆組成物。
［４］  脂肪族イソシアネート官能性物質は、ヘキサメチレンジイソシアネートおよびヒドロキシ官能性ポリエーテルのアロファネート反応生成物を含む、［１］に記載のポリウレア被覆組成物。
［５］  脂肪族イソシアネート官能性物質は、ヘキサメチレンジイソシアネートおよびＤＭＣ触媒作用を用いて製造されたヒドロキシ官能性ポリエーテルのアロファネート反応生成物を含む、［１］に記載のポリウレア被覆組成物。
［６］  脂肪族イソシアネート官能性物質は、ヘキサメチレンジイソシアネートおよびヒドロキシ官能性エーテル化合物、少なくとも４のイソシアネート官能価、−４０℃未満のガラス転移温度および１０％未満の％ＮＣＯを有する脂肪族イソシアネート官能性物質のアロファネート反応生成物を含む、［１］に記載のポリウレア被覆組成物。
［７］
脂環式イソシアネート官能性物質は、イソホロンジイソシアネートおよび単官能性アルコールの反応生成物を含む、［１］に記載のポリウレア被覆組成物。
［８］  脂環式イソシアネート官能性物質は、イソホロンジイソシアネートおよび単官能性アルコールのアロファネート変性イソシアヌレートトリマー反応生成物を含む、［１］に記載のポリウレア被覆組成物。
［９］  脂環式イソシアネート官能性物質は、イソホロンジイソシアネートおよびメタノール、エタノール、ｎ−プロパノール、イソプロパノール、ブタノール異性体、ペンタノール異性体、ヘキサノール異性体、ヘプタノール異性体、オクタノール異性体、ノナノール異性体、デカノール異性体、２−エチルヘキサノール、トリメチルヘキサノール、シクロヘキサノール、１１〜２０個の炭素原子を有する脂肪アルコール、ビニルアルコール、アリルアルコールおよび任意のこれらの組み合わせからなる群から選択される単官能性アルコールのアロファネート変性イソシアヌレートトリマー反応生成物を含む、［１］に記載のポリウレア被覆組成物。
［１０］  脂環式イソシアネート官能性物質は、イソホロンジイソシアネートおよび単官能性アルコールの反応生成物を含み、該脂環式イソシアネート官能性物質は、少なくとも２．３のイソシアネート官能価および２５℃および６５℃の間のガラス転移温度を有する、［１］に記載のポリウレア被覆組成物。
［１１］  脂環式イソシアネート官能性物質と脂肪族イソシアネート官能性物質の重量比は、約９５：５〜約５０：５０である、［１］に記載のポリウレア被覆組成物。
［１２］  ポリアスパラギン酸エステルは、式：
【化１】
2013523972.tif 000001
〔式中、Ｘは、ｎの価数を有し、および１００℃以下の温度にてイソシアネート基に対して不活性である有機基、好ましくは脂肪族、芳香脂肪族または脂環式ポリアミン、より好ましくはジアミンからアミノ基を除去することにより得られた基、より好ましくは炭化水素基を表し、および
Ｒ１およびＲ２は、同一または異なっていてよく、１００℃以下の温度にてイソシアネート基に対して不活性である有機基、好ましくは１〜９個の炭素を含有するアルキル基、より好ましくはメチル基、エチル基またはブチル基を表し、またはＲ１およびＲ２は、β−炭素原子と共に脂環式またはヘテロ環式環を形成し、
Ｒ３およびＲ４は、同一または異なっていてよく、水素または１００℃以下の温度にてイソシアネート基に対して不活性である有機基を表し、および
ｎは、少なくとも２、好ましくは２〜６、より好ましくは２〜４、最も好ましくは２の値を有する〕
で示される、［１］に記載のポリウレア被覆組成物。
［１３］  Ｘは、アミノ基を脂肪族、芳香脂肪族または脂環式ジアミンから除去することにより得られた炭化水素基を表し、
Ｒ１およびＲ２は、同一または異なっていてよく、およびメチル基、エチル基またはブチル基を表し、
Ｒ３およびＲ４は、水素を表し、および
ｎは、２の値を有する、［１］に記載のポリウレア被覆組成物。
［１４］  ａ）脂肪族イソシアネート官能性物質、および
ｂ）脂環式イソシアネート官能性物質
を含むイソシアネート官能性成分（Ａ）、および
少なくとも１つのポリアスパラギン酸エステル成分を含むイソシアネート反応性成分（Ｂ）
の反応生成物から実質的に構成される、［１］に記載のポリウレア被覆組成物。
［１５］  ａ）脂肪族イソシアネート官能性物質、および
ｂ）脂環式イソシアネート官能性物質
を含むイソシアネート官能性成分（Ａ）、および
少なくとも１つのポリアスパラギン酸エステル成分を含むイソシアネート反応性成分（Ｂ）
の反応生成物からなる、［１］に記載のポリウレア被覆組成物。
［１６］  イソシアネート（Ａ）のＮＣＯ基とイソシアネート反応性基成分（Ｂ）のイソシアネート反応性基の当量比は、約２０：１〜１：２０である、［１］に記載のポリウレア被覆組成物。
［１７］  イソシアネート（Ａ）のＮＣＯ基とイソシアネート反応性基成分（Ｂ）のイソシアネート反応性基の当量比は、約１０：１〜１：１０である、［１］に記載のポリウレア被覆組成物。
［１８］  イソシアネート（Ａ）のＮＣＯ基とイソシアネート反応性基成分（Ｂ）のイソシアネート反応性基の当量比は、約５：１〜１：５である、［１］に記載のポリウレア被覆組成物。
［１９］  イソシアネート（Ａ）のＮＣＯ基とイソシアネート反応性基成分（Ｂ）のイソシアネート反応性基の当量比は、約３：１〜１：３である、［１］に記載のポリウレア被覆組成物。
［２０］  イソシアネート（Ａ）のＮＣＯ基とイソシアネート反応性基成分（Ｂ）のイソシアネート反応性基の当量比は、約２：１〜１：２である、［１］に記載のポリウレア被覆組成物。
［２１］  イソシアネート（Ａ）のＮＣＯ基とイソシアネート反応性基成分（Ｂ）のイソシアネート反応性基の当量比は、約１．５：１〜１：１．５である、［１］に記載のポリウレア被覆組成物。
［２２］  イソシアネート（Ａ）のＮＣＯ基とイソシアネート反応性基成分（Ｂ）のイソシアネート反応性基の当量比は、約１．２：１〜１：１．２である、［１］に記載のポリウレア被覆組成物。
［２３］  イソシアネート（Ａ）のＮＣＯ基とイソシアネート反応性基成分（Ｂ）のイソシアネート反応性基の当量比は、約１．１：１〜１：１．１である、［１］に記載のポリウレア被覆組成物。
［２４］  イソシアネート（Ａ）のＮＣＯ基とイソシアネート反応性基成分（Ｂ）のイソシアネート反応性基の当量比は、１：１である、［１］に記載のポリウレア被覆組成物。
［２５］  イソシアネート反応性基成分（Ｂ）のイソシアネート反応性基は、−ＯＨ基および−ＮＨ基である、［１］に記載のポリウレア被覆組成物。
［２６］  イソシアネート反応性基成分（Ｂ）のイソシアネート反応性基は、専ら−ＮＨ基である、［１］に記載のポリウレア被覆組成物。
［２７］  ポリアスパラギン酸エステルは、−ＮＨのみの官能性化合物である、［２２］に記載のポリウレア被覆組成物。
［２８］  ［１］に記載のポリウレア被覆組成物を金属基材へ直接塗布する工程およびポリウレア被覆組成物を硬化する工程を含んでなる、金属基材を被覆する方法。
［２９］  金属基材は、新しいまたは風化した亜鉛めっき鋼である、［２４］に記載の方法。
［３０］  金属基材は、処理または未処理鋼である、［２４］に記載の方法。
［３１］  金属基材は、アルミニウムである、［２４］に記載の方法。
［３２］  金属基材は、金属合金である、［２４］に記載の方法。
［３３］  ［１］に記載のポリウレア被覆組成物で被覆された基材。
【手続補正２】
【補正対象書類名】特許請求の範囲
【補正対象項目名】全文
【補正方法】変更
【補正の内容】
【特許請求の範囲】
【請求項１】
ａ）脂肪族イソシアネート官能性物質、および
ｂ）脂環式イソシアネート官能性物質
を含むイソシアネート官能性成分（Ａ）、および
少なくとも１つのポリアスパラギン酸エステル成分を含むイソシアネート反応性成分（Ｂ）
の反応生成物を含むポリウレア被覆組成物。
【請求項２】
脂肪族イソシアネート官能性物質は、ヘキサメチレンジイソシアネートおよびヒドロキシ官能性エーテル化合物の反応生成物を含む、請求項１に記載のポリウレア被覆組成物。
【請求項３】
脂肪族イソシアネート官能性物質は、ヘキサメチレンジイソシアネートおよびヒドロキシ官能性エーテル化合物のアロファネート反応生成物を含む、請求項１に記載のポリウレア被覆組成物。
【請求項４】
脂肪族イソシアネート官能性物質は、ヘキサメチレンジイソシアネートおよびヒドロキシ官能性ポリエーテルのアロファネート反応生成物を含む、請求項１に記載のポリウレア被覆組成物。
【請求項５】
脂肪族イソシアネート官能性物質は、ヘキサメチレンジイソシアネートおよびＤＭＣ触媒作用を用いて製造されたヒドロキシ官能性ポリエーテルのアロファネート反応生成物を含む、請求項１に記載のポリウレア被覆組成物。
【請求項６】
脂肪族イソシアネート官能性物質は、ヘキサメチレンジイソシアネートおよびヒドロキシ官能性エーテル化合物、少なくとも４のイソシアネート官能価、−４０℃未満のガラス転移温度および１０％未満の％ＮＣＯを有する脂肪族イソシアネート官能性物質のアロファネート反応生成物を含む、請求項１に記載のポリウレア被覆組成物。
【請求項７】
脂環式イソシアネート官能性物質は、イソホロンジイソシアネートおよび単官能性アルコールの反応生成物を含む、請求項１に記載のポリウレア被覆組成物。
【請求項８】
脂環式イソシアネート官能性物質は、イソホロンジイソシアネートおよび単官能性アルコールのアロファネート変性イソシアヌレートトリマー反応生成物を含む、請求項１に記載のポリウレア被覆組成物。
【請求項９】
脂環式イソシアネート官能性物質は、イソホロンジイソシアネートおよびメタノール、エタノール、ｎ−プロパノール、イソプロパノール、ブタノール異性体、ペンタノール異性体、ヘキサノール異性体、ヘプタノール異性体、オクタノール異性体、ノナノール異性体、デカノール異性体、２−エチルヘキサノール、トリメチルヘキサノール、シクロヘキサノール、１１〜２０個の炭素原子を有する脂肪アルコール、ビニルアルコール、アリルアルコールおよび任意のこれらの組み合わせからなる群から選択される単官能性アルコールのアロファネート変性イソシアヌレートトリマー反応生成物を含む、請求項１に記載のポリウレア被覆組成物。
【請求項１０】
脂環式イソシアネート官能性物質は、イソホロンジイソシアネートおよび単官能性アルコールの反応生成物を含み、該脂環式イソシアネート官能性物質は、少なくとも２．３のイソシアネート官能価および２５℃および６５℃の間のガラス転移温度を有する、請求項１に記載のポリウレア被覆組成物。
【請求項１１】
脂環式イソシアネート官能性物質と脂肪族イソシアネート官能性物質の重量比は、約９５：５〜約５０：５０である、請求項１に記載のポリウレア被覆組成物。
【請求項１２】
ポリアスパラギン酸エステルは、式：
【化１】
2013523972.tif 000002
〔式中、Ｘは、ｎの価数を有し、および１００℃以下の温度にてイソシアネート基に対して不活性である有機基、好ましくは脂肪族、芳香脂肪族または脂環式ポリアミン、より好ましくはジアミンからアミノ基を除去することにより得られた基、より好ましくは炭化水素基を表し、および
Ｒ１およびＲ２は、同一または異なっていてよく、１００℃以下の温度にてイソシアネート基に対して不活性である有機基、好ましくは１〜９個の炭素を含有するアルキル基、より好ましくはメチル基、エチル基またはブチル基を表し、またはＲ１およびＲ２は、β−炭素原子と共に脂環式またはヘテロ環式環を形成し、
Ｒ３およびＲ４は、同一または異なっていてよく、水素または１００℃以下の温度にてイソシアネート基に対して不活性である有機基を表し、および
ｎは、少なくとも２、好ましくは２〜６、より好ましくは２〜４、最も好ましくは２の値を有する〕
で示される、請求項１に記載のポリウレア被覆組成物。
【請求項１３】
Ｘは、アミノ基を脂肪族、芳香脂肪族または脂環式ジアミンから除去することにより得られた炭化水素基を表し、
Ｒ１およびＲ２は、同一または異なっていてよく、およびメチル基、エチル基またはブチル基を表し、
Ｒ３およびＲ４は、水素を表し、および
ｎは、２の値を有する、請求項１に記載のポリウレア被覆組成物。
【請求項１４】
イソシアネート（Ａ）のＮＣＯ基とイソシアネート反応性基成分（Ｂ）のイソシアネート反応性基の当量比は、約２：１〜１：２である、請求項１に記載のポリウレア被覆組成物。
【請求項１５】
イソシアネート反応性基成分（Ｂ）のイソシアネート反応性基は、専ら−ＮＨ基である、請求項１に記載のポリウレア被覆組成物。
【請求項１６】
ポリアスパラギン酸エステルは、−ＮＨのみの官能性化合物である、請求項１に記載のポリウレア被覆組成物。
【請求項１７】
請求項１に記載のポリウレア被覆組成物を金属基材へ直接塗布する工程およびポリウレア被覆組成物を硬化する工程を含んでなる、金属基材を被覆する方法。
【請求項１８】
請求項１に記載のポリウレア被覆組成物で被覆された基材。